(57)【要約】【課題】収納ケースなどへの携帯機器の出し入れにおいて再度表示部が汚れることがなく、光触媒などを使用することなく、簡便にかつ効果的に表示部などをクリーニングできる携帯機器クリーニング機構を備えた携帯機器を提供する。【解決手段】表示部５を有する携帯電話機１において、その携帯電話１の筐体に携帯機器クリーニング機構を備え、その携帯機器クリーニング機構は、表示部５の表面をなぞるように移動するクリーニング構成部３を有することを特徴とする。【選択図】  図１
2004312143.tif 000002
【特許請求の範囲】
【請求項１】
表示部を有する携帯機器において、
該携帯機器の筐体に携帯機器クリーニング機構を備え、
該携帯機器クリーニング機構は、前記表示部の表面をなぞるように移動するクリーニング構成部を有することを特徴とする携帯機器。
【請求項２】
前記携帯機器クリーニング機構は、
前記携帯機器の筐体に設けられたガイド溝であって、前記クリーニング構成部の移動をガイドするガイド溝を有することを特徴とする請求項１記載の携帯機器。
【請求項３】
前記携帯機器クリーニング機構は、
前記クリーニング構成部を収納する収納部と、
前記収納部及び前記表示部の表面の少なくとも一方に前記クリーニング構成部を押し付ける押し付け部材と、
を有することを特徴とする請求項１又は２記載の携帯機器。
【請求項４】
前記押し付け部材は、バネ部材であることを特徴とする請求項３に記載の携帯機器。
【請求項５】
前記携帯機器クリーニング機構は、
前記ガイド溝に沿って移動する支持部を有し、
前記押し付け部材は、少なくとも前記支持部及び前記クリーニング構成部に接続されていることを特徴とする請求項３又は４記載の携帯機器。
【請求項６】
前記携帯機器の筐体は、
前記表示部を備えた第１筐体と、該第１筐体と折り畳み自在に連結された第２筐体とを有し、
前記携帯機器クリーニング機構は、
前記第１筐体側の前記支持部を所定方向に引っ張る一端を前記第２筐体側に取付けた張線部材を有することを特徴とする請求項５記載の携帯機器。
【発明の詳細な説明】
【０００１】
【発明の属する技術分野】
本発明は、携帯機器に関し、特に携帯電話などの表示部のクリーニングに好適な携帯機器クリーニング機構を備えた携帯機器に関する。
【０００２】
【従来の技術】
従来、クリーニング材付きの収納ケースに、携帯電話などの端末を出し入れすることにより、その端末のディスプレイに付いた皮脂や汚れを清掃する技術が考え出されている。
【０００３】
【特許文献１】
特開平１１−２９９５２１号公報
【０００４】
また従来においては、電子機器の筐体又は映像表示部などの表面に、光触媒（二酸化チタンまたは二酸化チタンと活性炭）を接着剤に含ませて塗布し、筐体又は映像表示部の表面に付着した汚染物質や悪臭を除去するものがある。
【０００５】
【特許文献２】
特開平９−２５２１８５号公報
【０００６】
【発明が解決しようとする課題】
しかしながら、上記特許文献１に記載されている技術では、電話機収納ケースの出し入れにより電話機本体及び表示部に付着した皮脂や汚れの清掃を行なうものであるが、手で収納ケースより取り出す構造であるので、その取り出し時において表示部などに再度皮脂や汚れが付着してしまうという問題点がある。
【０００７】
また、上記特許文献２に記載されている技術では、本体や表示部に光触媒を塗布して汚れを除去するものであるが、光が当たらなければこの機能は働かないという問題点がある。酸化チタンなどでは、通常、波長が３９０ｎｍ以下の紫外線が必要であり、戸外の太陽光が良く当たる場合は機能するが、屋内においては蛍光灯で僅かな紫外線が出るが、カバーで殆んどカットされることになる。白熱電球では、紫外線は全く出ない。よって、携帯電話機などでは、ポケットやカバンの中で携行されたり、屋内の机等で放置されることが多いので、この光触媒方式では効果はない。また、光触媒では汚れを分解するには時間がかかってしまう。
【０００８】
本発明は、上記問題点を解決するためになされたものであり、収納ケースなどへの携帯機器の出し入れにおいて再度表示部が汚れることがなく、光触媒などを使用することなく、簡便にかつ効果的に表示部などをクリーニングすることができる携帯機器を提供することを目的とする。
【０００９】
【課題を解決するための手段】
上記目的を達成するために、請求項１記載の発明に係る携帯機器は、表示部を有する携帯機器の筐体に備えられた携帯機器クリーニング機構を備え、該携帯機器クリーニング機構が前記表示部の表面をなぞるように移動するクリーニング構成部を有することを特徴とする。
【００１０】
請求項２記載の発明に係る携帯機器は、前記携帯機器クリーニング機構が、前記携帯機器の筐体に設けられたガイド溝であって、前記クリーニング構成部の移動をガイドするガイド溝を有することを特徴とする。
【００１１】
請求項３記載の発明に係る携帯機器は、前記携帯機器クリーニング機構が、前記クリーニング構成部を収納する収納部と、前記収納部及び前記表示部の表面の少なくとも一方に前記クリーニング構成部を押し付ける押し付け部材と、を有することを特徴とする。
【００１２】
請求項４記載の発明に係る携帯機器は、前記押し付け部材がバネ部材であることを特徴とする。
【００１３】
請求項５記載の発明に係る携帯機器は、前記携帯機器クリーニング機構が、前記ガイド溝に沿って移動する支持部を有し、前記押し付け部材は、少なくとも前記支持部及び前記クリーニング構成部に接続されていることを特徴とする。
【００１４】
請求項６記載の発明に係る携帯機器は、前記携帯機器の筐体が、前記表示部を備えた第１筐体と、該第１筐体と折り畳み自在に連結された第２筐体とを有し、前記携帯機器クリーニング機構が前記第１筐体側の前記支持部を所定方向に引っ張る一端を前記第２筐体側に取付けた張線部材を有することを特徴とする。
【００１５】
【発明の実施の形態】
以下、図面を参照し、本発明の一実施形態に係る携帯機器について説明する。図１は本発明の実施形態に係る携帯機器クリーニング機構を備える携帯電話機を示す概略斜視図である。本実施形態では、携帯機器の一例として折り畳み式の携帯電話機１を挙げている。
【００１６】
携帯電話機１は、スピーカ２と、クリーニング構成部３と、支持部３’と、ガイド溝部４と、表示部５と、操作キー側筐体（第２筐体）６と、表示部側筐体（第１筐体）６’と、ヒンジ部７とを有している。クリーニング構成部３は、少なくとも表示部５の表面をなぞるように移動することができる。本実施形態に係る携帯機器クリーニング機構は、少なくともクリーニング構成部３、支持部３’及びガイド溝部４を構成要素としている。そして、図１では、クリーニング構成部３を収納した携帯電話機１を手で保持した状態を示している。
【００１７】
携帯電話機１における操作キー側筐体６の下方には、マイク（図示せず）が設けられている。ヒンジ部７は携帯電話機１のスピーカ２側の端部と操作キー側筐体６の端部とを回動自在に接続する部材であり、ヒンジ部７により携帯電話機１が折り畳み自在となっている。
クリーニング構成部３には当接部３ａが設けられている。当接部３ａは、携帯電話機１を折り畳んだときに操作キー表面側に当たるものである。
【００１８】
ガイド溝４は、携帯電話機１におけるスピーカ２側の両側面に設けられた溝からなり、クリーニング構成部３の移動をガイドする溝である。このガイド溝４には、支持部３’が摺動自在に取り付けられている。そこで、支持部３’は、ガイド溝４に沿って移動することができる。また、支持部３’にはクリーニング構成部３が接続されている。これにより、支持部３’をガイド溝４に沿って移動させると、クリーニング構成部３が表示部５の表面をなぞるように移動する。
【００１９】
図２は携帯電話機１の概略側面図である。図２（ａ）は携帯電話機１におけるクリーニング構成部３の収納状態を示している。図２（ｂ）はクリーニング構成部３を携帯電話機１の収納部８から取り出した状態を示している。
【００２０】
支持部３’を図２の矢印方向に手で移動させた際、クリーニング構成部３が収納部８よりせり出し、表示部５の表面を摺動する。これにより、表示部５の表面に付着した皮脂及び汚れなどがクリーニング構成部３に吸着され、クリーニングされる。
【００２１】
図３は携帯電話機１を折り畳んだときの概略側面図である。携帯電話機１を折り畳んだとき、クリーニング構成部に一体に設けた当接部３ａが操作キー表面６に当接する。これにより、携帯電話機１を折り畳んだときに、携帯電話機１の表示部３側などに傷又は汚れなどが付くことを回避している。
【００２２】
次に、図４から図８を参照して、本実施形態の携帯機器クリーニング機構について詳細に説明する。図４は、本実施形態の携帯機器クリーニング機構の要部を示す斜視図である。クリーニング構成部３に回動自在に係合されたアーム９（押し付け部材）はねじりコイルバネ構成になっており、クリーニング構成指示部３’のガイドキー部１１の端部に一体に設けてあるアーム回転止め受け部１１’にアーム回転止め部９’を係合させ、回転止めがなされる。アーム回転止め受け部１１’のあるガイドキー部１１は指掛りスライド部１０に係合されている。また指掛りスライド部１０は支持部３’に係合されている。クリーニング構成部３にはクリーニング材１２が設けられている。
【００２３】
アーム９を半回転程させて組み込むことにより、図４の矢印方向に常に付勢力が働き、携帯電話機１に配置されている収納部８にクリーニング構成部３を押し付けて、位置を保持させる。これにより、図１に示すようにクリーニング構成部３が携帯電話機１に収納される。
【００２４】
図５は携帯電話機１に設置された本実施形態の携帯機器クリーニング機構の要部を示す概略側面図である。支持部３’を図５の太矢印方向に手で移動させた場合、手の力がアーム９のコイルバネ付勢力より強い為に、クリーニング構成部３は図５の細矢印方向に収納部８の斜面をせり上がっていく。この時もコイルバネの付勢力により、クリーニング構成部３のクリーニング材１２は、常に携帯電話機１のケース表面に押し付けられている。手で支持部３’を移動させると、ガイド溝部４の部分をガイドキー部１１も摺動していく。
【００２５】
図６は携帯電話機１に設置された本実施形態の携帯機器クリーニング機構の要部を示す概略側面図である。図６は、図５に示す状態から支持部３’を更に太矢印方向に移動させた状態を示している。クリーニング構成部３が細矢印方向に動くと、そのクリーニング構成部３が収納部８の斜面をせり上がり、携帯電話機１における液晶等の表示部５の表面をクリーニング構成部３のクリーニング材１２が押し付けられながら摺動する。これにより、表示部５の表面上のクリーニングが行われる。
【００２６】
クリーニング構成部３を元に戻す場合も、支持部３’を手で上方（収納部８の方）へ動かして行く。クリーニング構成部３は常にケース表面部へ押し付けられているので、収納部８の斜面を容易に滑っていき収納される。収納部８付近では斜面を滑っていくことにより、バネの付勢力がかかってクリーニング構成部３を呼び込むことになる。
【００２７】
図７は携帯電話機１に設置された本実施形態の携帯機器クリーニング機構における他の構成を示す概略側面図である。図７では携帯電話機１を折り畳んだ状態を示している。本携帯機器クリーニング機構は、携帯電話機１を展開した時に、クリーニング構成部３が表示部５の表面をなぞるように、そのクリーニング構成部３を摺動させながら表示面５の下方に引っ張る張線１３を備える。また、本携帯機器クリーニング機構は、張線１３に連結する連結スプリング１５と、折り畳み時に張線１３を一時固定する張線固定部１４と、連結スプリング１５を操作キー側筐体６に固定する固定部１６とを備えている。
【００２８】
携帯電話機１の折畳み時における連結スプリング１５は伸びた状態（エネルギーチャージ状態）で一時固定されている。尚、この張線１３及び連結スプリング１５は携帯電話機１本体内の両側（両側面の付近）に配置されている。
【００２９】
図８は図７に示す携帯機器クリーニング機構の構成における他の状態を示す概略側面図である。図８では携帯電話機１を展開させた状態を示している。展開時においては、ヒンジ部７に設けられた張線固定部１４が携帯電話機１の展開に連動して図面の短矢印方法に移動して張線１３の固定を解き、そして連結スプリング１５が縮む。すると、指掛りスライド部１０に連結している張線１３をスプリング１５が引っ張り、結果的に張線１３がクリーニング構成部３を収納部８から脱出させて図面の長矢印方向に移動させる。この移動において、クリーニング構成部５は、表示部５の表面を摺動し、その表示部５の表面をクリーニングしていく。
【００３０】
上記実施形態の折畳式の携帯電話機１に適用された携帯機器クリーニング機構では、折畳み時はクリーニング構成部３を手で収納部８へ押し戻して、再セットする方式としている。
【００３１】
これらにより、本実施形態の携帯機器クリーニング機構は、ガイド溝部４に係合した支持部３’を手で移動させることにより、クリーニング構成部３が収納部８よりせり上がり、さらにクリーニング構成部３が表示部５の表面を摺動して、表示部５の表面などに付着した皮脂や汚れを簡単に除去することができる。
クリーニング構成部３の先端には、表示部５の表面に汚れを拭き取るシリコンクロスなどのクリーニング材１２が装着されていることが好ましい。
【００３２】
また、本実施形態の携帯機器クリーニング機構では、折り畳み型の携帯電話機１の開閉動作に連動して、クリーニング構成部３が表示部５の表面を摺動する構造とすることもできる。すなわち、本実施形態の携帯機器クリーニング機構は、折り畳み型の携帯電話機１を開ける動作に連動して、クリーニング構成部３が表示部５の表面を摺動し、折り畳み型の携帯電話機１を閉じる動作にも連動して、再び表示部５を摺動（クリーニング）しながら元に戻るようにすることもできる。
【００３３】
また、本実施形態の携帯機器クリーニング機構は、折り畳み型ではないストレートタイプの携帯電話機に適用することもできる。
また、本実施形態の携帯機器クリーニング機構を折り畳み型の携帯電話機に適用した場合は、クリーニング構成部３に折り畳み開閉時の衝撃緩和及びキズ防止機能（当接部３ａ）も持たせることも可能である。この構成は、携帯電話機のケース取り付けネジのネジ頭隠しに適用することも可能である。
【００３４】
以上、本発明の実施形態について図面を参照して詳述してきたが、具体的な構成はこの実施形態に限られるものではなく、本発明の要旨を逸脱しない範囲の設計変更等も含まれる。
上記実施形態では、携帯機器クリーニング機構の適用対象として携帯電話機を挙げているが、本発明はこれに限定されるものではなく、ＰＨＳ（Ｐｅｒｓｏｎａｌ  Ｈａｎｄｙｐｈｏｎｅ  Ｓｙｓｔｅｍ）、パーソナルコンピュータ、ＰＤＡ（Ｐｅｒｓｏｎａｌ  Ｄｉｇｉｔａｌ  Ａｓｓｉｓｔａｎｃｅ）などに本発明を適用してもよい。
【００３５】
【発明の効果】
以上説明したように、本発明によれば、収納ケースなどへの携帯機器の出し入れにおいてその携帯機器の表示部が汚れることがなく、また光触媒などを使用することなく、簡便にかつ効果的に携帯機器の表示部などをクリーニングすることができる。
【図面の簡単な説明】
【図１】本発明の実施形態に係る携帯機器クリーニング機構を備える携帯電話機を示す概略斜視図である。
【図２】同上の携帯電話機の概略側面図である。
【図３】同上の携帯電話機を折り畳んだときの概略側面図である。
【図４】本発明の実施形態に係る携帯機器クリーニング機構の要部を示す斜視図である。
【図５】同上の携帯機器クリーニング機構の要部の概略側面図である。
【図６】同上の携帯機器クリーニング機構の他の状態を示す概略側面図である。
【図７】本発明の実施形態に係る携帯機器クリーニング機構の他の構成を示す概略側面図である。
【図８】同上の携帯機器クリーニング機構の他の状態を示す概略側面図である。
【符号の説明】
１…携帯電話機、２…スピーカ、３…クリーニング構成部、３ａ…当接部、  ３’…支持部、４…ガイド溝部、５…表示部、６…操作キー側筐体（第２筐体）、６’…表示部側筐体（第１筐体）、７…ヒンジ部、８…収納部、９…アーム（ねじりコイルバネ）、９’…アーム回転止め部、１０…指掛りスライド部、１１…ガイドキー部、１１’…アーム回転止め受け部、１２…クリーニング材、１３…張線、１４…張線固定部、１５…連結スプリング、１６…固定部
【図１】
2004312143.tif 000003
【図２】
2004312143.tif 000004
【図３】
2004312143.tif 000005
【図４】
2004312143.tif 000006
【図５】
2004312143.tif 000007
【図６】
2004312143.tif 000008
【図７】
2004312143.tif 000009
【図８】
2004312143.tif 000010